(57)【要約】【課題】ファスナーを用いて便座に装着する便座カバーにおいて、便座を上方へ持ち上げたとき、便座カバーのファスナー等の装着構造が直接的に使用者の目に付きにくくし、美観及び清潔感の点で好ましい装着状態を得る。【課題手段】環状の便座１のシート部１ａを被覆するカバー本体２の両側縁部分にそれぞれファスナー片５ａ，５ｂが固定され、該両ファスナー片を噛合してカバー本体２を便座に装着するが、上記カバー本体が便座に装着されたときに、便座のシート部１ａの外側の起立側面１ｂに当接する位置に上記ファスナー５が位置するように形成する。【選択図】図４
2008011927.tif 000002
【特許請求の範囲】
【請求項１】
環状の便座のシート部を被覆するカバー本体の両側縁部分にそれぞれファスナー片が固定され、該両ファスナー片の噛合部を相互に噛合させてカバー本体を便座に装着するようにした便座カバーであって、
上記カバー本体が便座に装着されたときに、便座のシート部の外側の起立側面に当接する位置に上記ファスナー片を噛合させたファスナーが位置し、
上記カバー本体が該位置において上記両ファスナー片が噛合するような形状に形成されている、
ことを特徴とする便座カバー。
【請求項２】
上記カバー本体が便座に装着されたときに、互いに噛合した上記ファスナー片が上記カバー本体の両側縁部により被覆され、外部からファスナーが目視できないように形成している、
ことを特徴とする請求項１に記載の便座カバー。
【請求項３】
上記カバー本体の両端部に、該端部を便座の一部に掛止するための掛止具を設けた、
ことを特徴とする請求項１又は２に記載の便座カバー。
【請求項４】
カバー本体が、便座上において上面視で環状に形成され、カバー本体における便座の基端部側に、便座表面との相対的な移動を防止する移動防止部材を配設している、
こと特徴とする請求項１又は２に記載の便座カバー。
【請求項５】
上記カバー本体が、伸縮性ある布地又は伸縮性に乏しい布地によって、主として便座上面を被包する上側カバー本体と、主として便座下面を被包する下側カバー本体とにより形成され、上記上下側カバー本体の各内側縁が縫合され、上記上下側カバー本体の外側縁部における端部から突出しない位置に、それぞれファスナー片が固定され、
両ファスナー片における噛合部が相互に噛合したファスナーの全巾が、便座のシート部の外側の起立側面の高さに近い長さを有している、
こと特徴とする請求項２ないし４のいずれかに記載の便座カバー。  
【発明の詳細な説明】
【技術分野】
【０００１】
本発明は、腰掛け式便器の環状便座、特に保温機能部を内蔵した便座に着脱自在に装着して、便座のシート部を被覆する便座カバーに関するものである。
【背景技術】
【０００２】
従来、腰掛け式便器の環状便座について、肌触りをよくするため、或いは美観のために装着される便座カバーは周知である。そして、特許文献１には、便座のシート部を被覆するカバー本体の両側縁にオープンファスナーの一対のファスナー片を固定しておき、便座のシート部を該カバー本体で被覆し、便座の下側において両ファスナー片を噛合させたとき、便座の下側に形成された複数の緩衝部材からなる下側突部の外側端部よりも若干外側にファスナーが位置するような形状とした便座カバーが開示されている。そして、ファスナーは便座の下側突部の外側に位置しているので、便座の下側突部と便器の上面とに挟持されて破損するおそれがないとされている。
【０００３】
しかし、特許文献１に開示された便座は、それを上方へ持ち上げたとき、便座カバーの下側のファスナーが使用者の目に付き、美観の点で好ましくない。また、特許文献１の便座カバーは、便器の使用によって便座カバーが次第に移動し、ファスナーが便座の下側突部と便器上面とに挟持されてファスナーが破損し易い。
更に、特許文献２に開示されている便座カバーも同様である。
【０００４】
【特許文献１】特開平７−２８９４７９号公報
【特許文献２】特開平９−１１７３９２号公報
【発明の開示】
【発明が解決しようとする課題】
【０００５】
本発明の技術的課題は、ファスナーを用いて便座に装着する便座カバーにおいて、便座を上方へ持ち上げたとき、便座カバーのファスナーが直接的に使用者の目に付きにくく、つまり、便座カバーの裏に相当する装着構造が見えないように形成し、美観及び清潔感の点で好ましい装着状態が得られる便座カバーを提供することにある。
本発明の他の技術的課題は、ファスナーを用いてカバー本体を便座に装着する便座カバーにおいて、便座の下側に形成された複数の緩衝部材からなる下側突部の下に該ファスナーが入り込む事態を完全に防止可能にすることにある。
本発明の他の技術的課題は、カバー本体を便座に容易に装着、離脱できるようにした便座カバーを提供することにある。
【課題を解決するための手段】
【０００６】
上記課題を解決するための本発明の便座カバーは、環状の便座のシート部を被覆するカバー本体の両側縁部分にそれぞれファスナー片が固定され、該両ファスナー片を噛合してカバー本体を便座に装着するようにした便座カバーであって、上記カバー本体が便座に装着されたときに、便座のシート部の外側の起立側面に当接する位置に上記ファスナーが位置し、上記カバー本体が該位置において上記両ファスナー片が噛合するのに適した形状に形成されていることを特徴とするものである。
【０００７】
本発明に係る便座カバーの好ましい実施形態においては、上記カバー本体が便座に装着されたときに、互いに噛合した上記ファスナー片が上記カバー本体の両側縁部により被覆され、外部からファスナーが目視できないように形成される。
又、本発明の他の好ましい実施形態においては、上記カバー本体の両端部に、該端部を便座の一部に掛止するための掛止具が設けられ、あるいは、カバー本体が、便座上において上面視で環状に形成され、カバー本体における便座の基端部側に、便座表面との相対的な移動を防止する移動防止部材が配設される。
【０００８】
上記便座カバーは、具体的には、カバー本体が、伸縮性ある布地又は伸縮性に乏しい布地によって、主として便座上面を被包する上側カバー本体と、主として便座下面を被包する下側カバー本体とにより形成され、上記上下側カバー本体の各内側縁が縫合され、上記上下側カバー本体の外側縁部における端部から突出しない位置に、それぞれファスナー片が固定され、両ファスナー片における噛合部が相互に噛合したファスナーの全巾が、便座のシート部の外側の起立側面の高さに近い長さを有するものとして構成される。
【０００９】
上記構成を有する本発明の便座カバーは、それが便座に装着されたときに、上記ファスナーが便座のシート部の外側の起立側面に当接する位置にあるようにしているので、該ファスナーの存在が目立つことはなく、特に、互いに噛合したファスナー片が上記カバー本体の両側縁部により被覆され、外部からファスナーが目視できないように形成してある場合には、便座を上方へ持ち上げたとき、便座カバーのファスナー等の装着構造が直接的に使用者の目に付くことがなく、つまり、便座カバーの裏に相当する装着構造が見えることはなく、美観及び清潔感の点で好ましい装着状態を得ることができる。
【００１０】
しかも、上記ファスナーが便座のシート部の外側の起立側面に当接する位置にあると、該起立側面とファスナーの噛合部を取り付けているテープの全巾とがほぼ近似した長さになり、更に、そのファスナー部分がカバー本体の他の部分よりも固いので、該ファスナー部分が便座のシート部の外側の起立側面から便座の下側や上側に移動するのが効果的に抑制され、すなわち、便座カバーが便座のシート部の外側で回転するのを確実に防止することができる。従って、便座の下側に設けられている複数の緩衝部材からなる下側突部の下に該ファスナーが入り込む事態も完全に防止することができる。
【００１１】
また、上記便座カバーを便座に装着するときには、便器上に置かれた便座のシート部をカバー本体で被覆する状態に便座カバーを該シート部上に載置し、洗濯物鋏み状の挟持具によりカバー本体を一時的に便座に仮固定し、その状態でファスナー片を便座のシート部の外側に位置させ、ファスナーのスライダを該ファスナーの噛合部に嵌合させて、該スライダをファスナーに沿って便座の周囲を一周させればよく、それにより、カバー本体を便座に容易に装着することができる。カバー本体の離脱も、上記ファスナーのスライダを便器上にある便座の周囲に沿って一周させればよく、同様に容易に行うことができる。
【発明の効果】
【００１２】
上述した本発明の便座カバーによれば、便座を上方へ持ち上げたとき、便座カバーのファスナーが直接的に使用者の目に付きにくく、つまり、便座カバーの裏に相当する装着構造が見えないように形成し、美観及び清潔感の点で好ましい装着状態が得られる便座カバーを提供することができる。また、便座の下側に形成された複数の緩衝部材からなる下側突部の下に該ファスナーが入り込む事態を完全に防止することができ、便座に対するカバー本体の装着、離脱も容易に行うことができる。
【発明を実施するための最良の形態】
【００１３】
以下に、本発明の実施の形態を図面に基づいて詳細に説明する。
図１〜図４は、本発明に係る便座カバーの第１実施例を示している。この第１実施例の便座カバーは、環状の便座１のシート部１ａを被覆するカバー本体２の両端部に、該端部を便座１のシート部１ａの一部に掛止するための掛止具１０を連設することにより形成されたものである。上記カバー本体２は、図４からわかるように、主として便座１の上面を被包する上側カバー本体３と、主として便座１の下面を被包する下側カバー本体４とを備え、上記上下側カバー本体３，４の各内側縁３ａ，４ａが縫合により接合されている。上記上側カバー本体３及び下側カバー本体４は、伸縮性ある布地又は伸縮性に乏しい布地によって形成することができ、また、その一方を伸縮性ある布地、他方を伸縮性に乏しい布地によって形成することもできる。
【００１４】
上記上下側カバー本体３，４の両外側縁３ｂ，４ｂ側の部分、即ち、上記縫合を行った内側縁とは反対側の側縁部分には、それぞれ互いに噛合するファスナー片５ａ，５ｂを固定している。これらの両ファスナー片５ａ，５ｂは、それぞれテープ６ａの側端に沿って噛合部６ｂを設けたもので、それらの噛合部６ｂをスライダ７により相互に噛合させてカバー本体２を便座１のシート部１ａに装着するようにしている。便座カバーを便座１に対して着脱自在にするため、上記ファスナー片５ａ，５ｂによって構成されるファスナー５は、オープンファスナーである。そして、上記カバー本体２が便座１に装着されたときに、便座のシート部１ａの外側の起立側面１ｂに当接する位置に上記ファスナー５が位置するように構成している。
【００１５】
特に、両ファスナー片５ａ，５ｂの噛合部６ｂを噛合させたファスナー５の全巾が、便座１のシート部１ａの外側の起立側面１ｂの高さにほぼ近似した長さになるように構成しておくと、該ファスナー５が上記起立側面１ｂに当接する位置にあるとき、そのファスナー部分がカバー本体２の他の部分よりも固さがあるので、該ファスナー部分が便座１のシート部１ａの外側の起立側面１ｂから便座１の下側や上側に移動するのが効果的に抑制され、すなわち、便座カバーが便座のシート部１ａの周りで回転するのを防止することができる。従って、便座１の下側に設けられている複数の緩衝部材からなる下側突部１ｃの下に該ファスナー５が入り込む事態も防止することができる。
【００１６】
また、上記ファスナー片５ａ，５ｂは、上下側カバー本体３，４の両外側縁３ｂ，４ｂ側の部分で、その外側縁３ｂ，４ｂの端部から突出しない位置にそれぞれ固定している。そのため、上記カバー本体２が便座１に装着されたときに、噛合部６ｂが互いに噛合した上記ファスナー片５ａ，５ｂが上記カバー本体２の両外側縁３ｂ，４ｂにより被覆され、外部からファスナー５が目視されないように形成している。
このように、便座カバーが便座１に装着されたときに、上記ファスナー５が便座のシート部１ａの外側の起立側面１ｂに当接する位置にあるように形成すると、便座１を上方へ持ち上げたときにもファスナー５の存在が目立つことはなく、特に、互いに噛合したファスナー片５ａ，５ｂが上記カバー本体２の両外側縁３ｂ，４ｂにより被覆されるようにしておくと、便座カバーのファスナー５等の装着構造が直接的に使用者の目に付くことがなく、つまり、便座カバーの裏側に相当する装着構造が見えることはなく、美観及び清潔感の点で好ましいものである。
【００１７】
カバー本体２を便座１に装着したときに、該カバー本体２が便座１のシート部１ａに安定的に保持され、それが移動するのを防止するために、カバー本体２の両端部には前記掛止具１０を連設している。この掛止具１０は、上側カバー本体３の端部を延長した帯状部１０ａの先端に雄ホック１０ｂを取り付け、該帯状部１０ａを便座１の一部に掛けたうえで、その雄ホック１０ｂを下側カバー本体４の端部に設けた雌ホック１０ｃに掛止するようにしたものであるが、上記掛止具１０は、上側カバー本体３にそれと別体の帯状部１０を連結することにより構成することもでき、あるいは、便座のシート部１ａの形態に適合させるようにした他の構造のものとすることもできる。なお、各種形態の便座に適合させるため、上記帯状部１０を伸縮性に富む材料で形成することもできる。また、上記雌雄ホックに代えて面ファスナーを用いることもできる。
【００１８】
上記構成を有する便座カバーを便座１に装着するに際しては、便器上に置かれた便座のシート部１ａをカバー本体２で被覆する状態に便座カバーを該シート部１ａ上に載置し、洗濯物鋏み状の挟持具によりカバー本体２を一時的に便座１に仮固定し、その状態でファスナー片５ａ，５ｂを便座１のシート部１ａの外側に位置させ、ファスナー５のスライダ７を該ファスナーの噛合部６ｂに嵌合させて、該スライダ７をファスナー５に沿って便座１の周囲を一周させればよく、それにより、カバー本体２を便座１に容易に装着することができる。カバー本体２の離脱も、上記ファスナー５のスライダ７を便器上にある便座１の周囲に沿って一周させればよく、同様に容易に行うことができる。そして、掛止具１０を図１及び図２に示しているように取り付け、雄ホック１０ｂを雌ホック１０ｃに掛合させることにより、便座カバーの便座１への装着が完了する。
【００１９】
図５は、本発明の第２実施例の便座カバーを便座１に装着した状態を示し、この第２実施例の便座カバーにおけるカバー本体１２は、伸縮性に富む材料を用いて形成され、第１実施例のような掛止具は備えず、カバー本体１２の両端部に該掛止具に対応するゴムバンド１３を取り付けている。
この第２実施例のその他の構成は、第１実施例と同様である。
【００２０】
図６及び図７は、本発明の第３実施例の便座カバーを便座１に装着した状態を示し、この第３実施例のカバー本体２２は、伸縮性に富む材料を用いて便座１上において上面視で環状に形成され、第１実施例のような掛止具は備えていない。そして、前記掛止具に代えて、カバー本体２２における便座１の基端部側に、該便座１のシート部１ａ表面との相対的な移動を防止するためのシリコン等からなる移動防止部材２３を配設している。カバー本体２２の端部にゴムバンド２４等を取り付けることもできる。
なお、第３実施例のその他の構成は、第１実施例と同様である。
【図面の簡単な説明】
【００２１】
【図１】本発明に係る便座カバーの第１実施例の便座に対する装着状態を示す上面図である。
【図２】同実施例の便座に対する装着状態を示す下面図である。
【図３】同実施例の平面図である。
【図４】図１のＸ−Ｘ位置での拡大断面図である。
【図５】本発明に係る便座カバーの第２実施例の便座に対する装着状態を示す上面図である。
【図６】本発明に係る便座カバーの第３実施例の同上面図である。
【図７】同第３実施例の便座に対する装着を示す下面図である。
【符号の説明】
【００２２】
１    便座
１ａ  シート部
１ｂ  起立側面
２，１２，２２  カバー本体
３    上側カバー本体
３ａ  内側縁 
３ｂ  外側縁
４    下側カバー本体
４ａ  内側縁 
４ｂ  外側縁
５    ファスナー  
５ａ，５ｂ  ファスナー片  
１０    掛止具
【図１】
2008011927.tif 000003
【図２】
2008011927.tif 000004
【図３】
2008011927.tif 000005
【図４】
2008011927.tif 000006
【図５】
2008011927.tif 000007
【図６】
2008011927.tif 000008
【図７】
2008011927.tif 000009